(57)【要約】【課題】通信ケーブルを設置した管路において、調査又は清掃時に通信ケーブルを保護するための人孔内に設置する通信ケーブルカバー及び通信ケーブル保護構造を提供する。【解決手段】既設管路の略上方に通信ケーブルが敷設されており、既設管路の人孔内で通信ケーブルを保護する人孔内に設置する通信ケーブルカバー１であって、前記通信ケーブルを保護する保護部２と、前記保護部２が前記通信ケーブルに対して管内方に位置するように人孔壁面に対して直接又は間接的に取り付けるための固定部３と、前記既設管路内の通信ケーブルを人孔内に引き出す空間部４を有することを特徴とする。【選択図】　　　　図１
2004048935.tif 000002
【特許請求の範囲】
【請求項１】
既設管路の略上方に通信ケーブルが敷設されており、既設管路の人孔内で通信ケーブルを保護する人孔内に設置する通信ケーブルカバーであって、
前記通信ケーブルを保護する保護部と、前記保護部が前記通信ケーブルに対して管内方に位置するように人孔壁面に対して直接又は間接的に取り付けるための固定部と、前記既設管路内の通信ケーブルを人孔内に引き出す空間部を有することを特徴とする人孔内に設置する通信ケーブルカバー。
【請求項２】
前記保護部が、前記人孔の管軸方向に対して略Ｌ字状であることを特徴とする請求項１に記載の人孔内に設置する通信ケーブルカバー。
【請求項３】
前記既設管路内の通信ケーブルを吊り上げて、前記通信ケーブルを既設管路内に敷設する管端の人孔に設けられた吊り上げ具の正面部を覆うカバー部を有することを特徴とする請求項１に記載の人孔内に設置する通信ケーブルカバー。
【請求項４】
既設管路の略上方に通信ケーブルが敷設されており、既設管路の人孔内で通信ケーブルを保護する通信ケーブル保護構造であって、
前記既設管路の管端から前記人孔内にかけて前記通信ケーブルを引き出している箇所において、前記通信ケーブルに対して前記既設管内方に位置するように前記通信ケーブルを人孔内に引き出す空間部を形成しながら、前記通信ケーブルを保護する保護部を有する通信ケーブルのカバーを人孔壁面に対して直接又は間接的に取り付けていることを特徴とする人孔内に設置する通信ケーブル保護構造。
【発明の詳細な説明】
【０００１】
【発明の属する技術分野】
本発明は、既設管路内に通信ケーブルを吊り上げて敷設する際に、通信ケーブルの既設管路の管端から人孔内に引き出された部分を保護するための人孔内に設置する通信ケーブルカバー及び通信ケーブル保護構造に関するものである。
【０００２】
【従来の技術】
現在、高速・超高速通信のネットワークの構築が進められている中で、その媒体である通信ケーブルの敷設方法には、架空方式と地中埋設方式がある。地中埋設方式での通信ケーブルの敷設は、架空方式での敷設と比べ、空間環境（地上風景の美観等）を守り、地震や台風などの災害に強いといった特性を有している。特に既設の地中管路のうち下水道管は、本管に接続している分岐管（取付管）が既に各家庭へと導かれており、且つ管内上部は空きスペースとなっており、各家庭へ通信ケーブルを引込むＦＴＴＨ（Ｆｉｂｅｒ　Ｔｏ　Ｔｈｅ　Ｈｏｍｅ）計画の重要なインフラとして注目を浴びている。
【０００３】
このような下水道管の本管上部の空きスペースを有効利用し、通信ケーブルを既設管路に吊り上げて設置する方法としては、例えば、特許２８５１１６９号に記載のものが知られている。このものは、通信ケーブル（光ケーブル）に具備されているテンションメンバを利用して、通信ケーブルを管内に吊り上げており、人孔内に固定したコイルバネによってテンションメンバに張力を加えることで、通信ケーブルを管路上部に敷設している。
【０００４】
【発明が解決しようとする課題】
しかしながら、管路は定期的に調査を実施しており、ＴＶカメラ車などを管路内に走行させて管路内の調査をしている。また、下水道などはその調査前に高圧ホースを挿通させて、管路内を清掃している。これらの場合、通常は管口に受けローラを設置して、管端の角でカメラ車のケーブルや高圧ホースが傷つかないようにしている（図６、図７参照）。このため、通信ケーブルを剥き出しの状態で人孔内に設置していると、受けローラと直接接触することから、通信ケーブルが傷つくおそれがあった。
【０００５】
本発明は、通信ケーブルを設置した管路において、調査又は清掃時に通信ケーブルを保護するための人孔内に設置する通信ケーブルカバー及び通信ケーブル保護構造を提供することを目的とする。
【０００６】
【課題を解決するための手段】
前記課題を解決するための請求項１に記載の人孔内に設置する通信ケーブルカバーは、既設管路の略上方に通信ケーブルが敷設されており、既設管路の人孔内で通信ケーブルを保護する人孔内に設置する通信ケーブルカバーであって、前記通信ケーブルを保護する保護部と、前記保護部が前記通信ケーブルに対して管内方に位置するように人孔壁面に対して直接又は間接的に取り付けるための固定部と、前記既設管路内の通信ケーブルを人孔内に引き出す空間部を有することを特徴とするものである。
【０００７】
このような構成によると、保護部によって、通信ケーブルを保護することができ、管路内の調査のためにカメラ車を走行させたり、清掃のために高圧ホース等を挿入した場合であっても、受けローラによって通信ケーブルが傷つくことを防止できる。
【０００８】
また、請求項２に記載の人孔内に設置する通信ケーブルカバーは、請求項１において、前記保護部が、前記人孔の管軸方向に対して略Ｌ字状であることを特徴とするものである。
【０００９】
このような構成によると、保護部を管軸方向に対して略Ｌ字状とすることで、カメラ車や高圧ホースのために受けローラを設けた場合であっても、受けローラの接触面積が多くなり、受けローラの取り付けが傾いても通信ケーブルを保護することができる。また、管内に突出させることも可能となり、保護範囲を広げることができる。
【００１０】
また、請求項３に記載の人孔内に設置する通信ケーブルカバーは、請求項１において、前記既設管路内の通信ケーブルを吊り上げて、前記通信ケーブルを既設管路内に敷設する管端の人孔に設けられた吊り上げ具の正面部を覆うカバー部を有することを特徴とするものである。
【００１１】
このような構成によると、通信ケーブルを保護するとともに、吊り上げ具をも保護することが可能となる。
【００１２】
また、請求項４に記載の人孔内に設置する通信ケーブル保護構造は、既設管路の略上方に通信ケーブルが敷設されており、既設管路の人孔内で通信ケーブルを保護する通信ケーブル保護構造であって、前記既設管路の管端から前記人孔内にかけて前記通信ケーブルを引き出している箇所において、前記通信ケーブルに対して前記既設管内方に位置するように前記通信ケーブルを人孔内に引き出す空間部を形成しながら、前記通信ケーブルを保護する保護部を有する通信ケーブルのカバーを人孔壁面に対して直接又は間接的に取り付けていることを特徴とするものである。
【００１３】
このような構成によると、保護部によって、通信ケーブルを保護することができ、管路内の調査のためにカメラ車を走行させたり、清掃のために高圧ホース等を挿入した場合であっても、受けローラによって通信ケーブルが傷つくことを防止できる。
【００１４】
【発明の実施の形態】
以下、図面を参照しつつ、本発明に係る人孔内に設置する通信ケーブルカバー及び通信ケーブル保護構造の実施形態の一例について説明する。
【００１５】
図１は通信ケーブルカバー１の概略斜視図であり、図１（ａ）は正面、平面及び右側面図を示し、図１（ｂ）は背面、底面、左側面図を示す。図１において、通信ケーブルカバー１は、通信ケーブルを保護する保護部２と、この保護部２が通信ケーブルに対して管内方に位置するように人孔壁面に対して直接又は間接的に取り付けるための固定部３と、既設管路内の通信ケーブルを人孔内に引き出す空間部４と、吊り上げ具の正面部を覆うカバー部５とで構成されている。そして、保護部２が、人孔の管軸方向に対して略Ｌ字状をしている。
【００１６】
図２は、吊り上げ具１０の一例の受け側１０ａの外観概略図を示す。図２（ａ）は、通信ケーブルカバー１が覆っていない状態で、人孔壁面に取り付けられた状態を示す。図２（ｂ）は吊り上げ具１０の受け側１０ａの三面図を示す。
【００１７】
吊り上げ具１０の受け側１０ａは、プレート１１を人孔壁面に固定するアンカーボルト１２によって人孔壁面に固定される。このプレート１１は、第１引掛け部１３と第２引掛け部１４と固定部材１６とを備えてなる。第１引掛け部１３は、管路６０の上方に吊り上げている通信ケーブルのガイド管７０から抜き出したテンションメンバ７１を巻上げる際に、人孔壁面の上下方向にスムースに摺動できるようにローラを具備してプレート１１下部の管端部に設けている。第２引掛け部１４は、テンションメンバ７１をＵ状に巻き、プレート１１に対して回転できるように軸支している。固定部材１６は、通信ケーブルカバー１の固定部３と係合する孔１５を具備している。
【００１８】
第２引掛け部１４は、Ｕ字状の板部材１７に軸支されている。この板部材１７と固定部材１６にはボルト１８が連通されている。このボルト１８に通されたバネ１９と、ボルト１８の他端側にワッシャを介して設けられたナット２０とで、第２引掛け部１４に巻きかけたテンションメンバ７１の吊り上げ力を微調整することができる。
【００１９】
図３は、吊り上げ具１０の巻上げ側１０ｂの一例を示す外観概略図である。図３（ａ）は、通信ケーブルカバー１が覆っていない状態で、人孔壁面に取り付けられた状態を示す。図３（ｂ）は吊り上げ具１０の巻上げ側１０ｂの三面図を示す。
【００２０】
吊り上げ具１０の巻上げ側１０ｂは、プレート１１を人孔壁面に固定するアンカーボルト１２によって人孔壁面に固定される。このプレート１１は、第１引掛け部１３と第２引掛け部１４とを備えてなる。第１引掛け部１３は、管路６０の上方に吊り上げている通信ケーブルのガイド管７０から抜き出したテンションメンバ７１を巻上げる際に、人孔壁面の上下方向にスムースに摺動できるようにローラを具備してプレート１１下部の管端部に設けている。第２引掛け部１４は、テンションメンバ７１を巻上げる巻上げドラム２３を有した巻上げ装置２４と、この巻上げ装置２４に一体に形成されたフック２５と、通信ケーブルカバー１の固定部３と係合する孔１５とを備えてなる。
【００２１】
吊り上げ具１０は、図２及び図３に示すように、受け側１０ａと巻上げ側１０ｂの一対で構成されており、巻上げ側１０の巻上げドラム２３を巻き回すことによってテンションメンバ７１にテンションを加えて、通信ケーブルのガイド管７０を吊り上げて管路６０の上方に固定している。なお、本実施形態例においては、テンションメンバ７１が、一方の人孔内でＵターンする場合について示しているが、これに限定されるものではなく、一方側に固定用にフックを設け、他方側に巻上げドラムを設けるようにすることもでき、一般的に使用されているテンション機構を有した吊り上げ具であれば、使用することができる。
【００２２】
本実施形態に係る通信ケーブルカバー１は、固定部３に締結用のボルト等の締結部材を吊り上げ具１０に設けられている孔１５に挿通して、螺合することで通信ケーブル及び吊り上げ部１０を覆うようにする。図４に吊り上げ具１０及び吊り上げ具１０を人孔壁面に固定した場合の状態を示す。図４は、管路６０内から通信ケーブル７２，７３を引き出している状態を示している。図４において（ａ）は、通信ケーブルカバー１がない状態を示しており、（ｂ）は、通信ケーブルカバー１が設けられている状態を示している。
【００２３】
図４（ｂ）に示すように、通信ケーブルカバー１を設けることによって、幹線７２、分岐線７３の各通信ケーブルは、通信ケーブルカバー１の側面に設けられている空間部４から引き出される。このため、管路６０の管端から人孔にかけての角部において、通信ケーブル７２，７３は通信ケーブルカバー１の保護部２によって剥き出しの状態とならない。
【００２４】
このようにして、通信ケーブルカバー１の空間部４から引き出された通信ケーブル７２，７３は、人孔７４内を図５に示すように、人孔７４壁面に沿って配線される。
【００２５】
また、図４（ｂ）に示すように、通信ケーブルカバー１を設けることによって、例えば、図６に示すように、管路６０内を高圧ホース７５で洗浄する場合であっても、通信ケーブルを傷つけることがない。図６に示すように、高圧ホース７５で管路６０内を洗浄する場合は、一般に受けローラ７６を管路６０の管端６１にあてがって、高圧ホース７５からの負荷を支持しながら、高圧ホース７５の損傷を防止している。本実施形態例においては、受けローラ７６が、管端６１に位置する通信ケーブルカバー１の保護部２とカバー部５に接することによって、高圧ホース７５の負荷を支持しており、通信ケーブルと受けローラ７６とが直接接触しないようになっている。このため、通信ケーブルは傷つくことがない。
【００２６】
また、同様に、図７に示すようにカメラ車７７によって管路６０内を調査する場合であっても、カメラ車７７のケーブル８０の受けローラ７８及びこの受けローラ７８の保持部材７９が管端６１にあてがわれた場合であっても、これらが通信ケーブルに接触することがなく、通信ケーブルを傷つけることがない。
【００２７】
なお、本発明に係る通信ケーブルカバーは、前述の実施形態例に限定されるものではなく、例えば、図８に示すような形態のものであってもよい。
【００２８】
図８（ａ）に示すものは、固定部３が吊り上げ具１０のプレート１１に接する面に設けられており、吊り上げ具１０を人孔壁面に固定するアンカーボルト１２を吊り上げ具１０を固定する際に、同時に挿通することで、固定できる。そして、管端６１側に保護部２が設けられている。また、側面に空間部４が設けられており、通信ケーブルは、この空間部４から引き出されようになっており、前述の実施形態（図１参照）に示した通信ケーブルカバーと同様の効果を得る。また、図８（ｂ）に示すものは、側面部分がない以外は、図１に示す通信ケーブルカバー１と同様である。
【００２９】
また、本発明に係る通信ケーブル保護構造は、前述の実施の形態例に示すように、通信ケーブルカバーを用いた場合は勿論であるが、図９に示すように、管端部の通信ケーブルのガイド管の下方に位置するように、棒状の保護部材７７を人孔壁面に固定した構造をも含むものである。このような構造であっても、カメラ車のケーブルや高圧ホース等が保護部材７７に接し、通信ケーブル７２，７３と直接接することがなく、通信ケーブル７２，７３を傷つけることがない。
【００３０】
なお、本発明は、これまで説明してきたように吊り上げ具１０によって通信ケーブルを管路６０の上方に固定した形態は勿論のこと、吊り上げ具１０を使用せずにリング状物やフック等で通信ケーブルを管路６０の上方に固定した場合でも適用することが可能である。
【００３１】
【発明の効果】
本発明は、以上のように構成されており、請求項１に記載の発明によると、保護部によって、通信ケーブルを保護することができ、管路内の調査のためにカメラ車を走行させたり、清掃のために高圧ホース等を挿入した場合であっても、受けローラによって通信ケーブルが傷つくことを防止できる。
【００３２】
また、請求項２に記載の発明によると、保護部を管軸方向に対して略Ｌ字状とすることで、カメラ車や高圧ホースのために受けローラを設けた場合であっても、受けローラの接触面積が多くなり、受けローラの取り付けが傾いても通信ケーブルを保護することができる。また、管内に突出させることも可能となり、保護範囲を広げることができる。
【００３３】
また、請求項３に記載の発明によると、通信ケーブルを保護するとともに、吊り上げ具をも保護することが可能となる。
【００３４】
また、請求項４に記載の発明によると、保護部によって、通信ケーブルを保護することができ、管路内の調査のためにカメラ車を走行させたり、清掃のために高圧ホース等を挿入した場合であっても、受けローラによって通信ケーブルが傷つくことを防止できる。
【図面の簡単な説明】
【図１】本発明に係る通信ケーブルカバーの概略斜視図であり、（ａ）は正面、平面及び右側面図を示し、（ｂ）は背面、底面、左側面図を示す。
【図２】本発明に係る通信ケーブルカバー内に固定される吊り上げ具の受け側の一例を示す外観概略図である。（ａ）は、通信ケーブルカバーが覆っていない状態で、人孔壁面に取り付けられた状態を示す。（ｂ）は吊り上げ具の受け側の三面図を示す。
【図３】本発明に係る通信ケーブルカバー内に固定される吊り上げ具の巻上げ側の一例を示す外観概略図である。（ａ）は、通信ケーブルカバーが覆っていない状態で、人孔壁面に取り付けられた状態を示す。（ｂ）は吊り上げ具の巻上げ側の三面図を示す。
【図４】管路内から通信ケーブルを引き出している状態を示している。（ａ）は、通信ケーブルカバーがない状態を示しており、（ｂ）は、通信ケーブルカバーが設けられている状態を示している。
【図５】人孔内における通信ケーブルの配線例を示す図である。
【図６】管路内を高圧ホースで洗浄している状態を示す図である。
【図７】管路内をカメラ車で調査している状態を示す図である。
【図８】本発明に係る通信ケーブルカバーの他の実施形態例を示す図である。
【図９】本発明に係る通信ケーブル保護構造の他の実施形態の一例を示す図である。
【符号の説明】
１　通信ケーブルカバー
２　保護部
３　固定部
４　空間部
５　カバー部
１０　吊り上げ具
【図１】
2004048935.tif 000003
【図２】
2004048935.tif 000004
【図３】
2004048935.tif 000005
【図４】
2004048935.tif 000006
【図５】
2004048935.tif 000007
【図６】
2004048935.tif 000008
【図７】
2004048935.tif 000009
【図８】
2004048935.tif 000010
【図９】
2004048935.tif 000011